(57)【要約】      （修正有）【課題】地震の揺れ等で天井部全体に大きな外力が作用しても、本体部と吊りボルト取付部の境界部が変形せず、もって天井部全体の歪みや局部変形、天井部の脱落や破壊等を確実に防止できる天井野縁受けの吊下げ用金具を提供する。【解決手段】側面視上向きコ字状に形成される野縁受け支持用のハンガー３と、該ハンガー３の前縦板３ｄの前縦面３ｄ１に当てつけられて野縁受け２の長手方向に延びる前縦板規制用縦板４ａと、該ハンガー３の後縦板３ａの後縦面に当てつけられて野縁受け２の長手方向に延びる後縦板規制用縦板４ｂと、前縦板規制用縦板４ａ及び後縦板規制用縦板４ｂの夫々の一端部を連結する連結縦板４ｃと、前縦板規制用縦板４ａ及び後縦板規制用縦板４ｂの夫々他端部間が開放された開放部４ｄとからなる平面視コ字状のハンガー規制用縦枠４と、前縦板規制用縦板１及び後縦板規制用縦板２の夫々他端部間にわたって螺合され前記開放部４ｄを閉塞する方向に締め付ける締め付けボルト５と、からなる。【選択図】図１
0003198050.tif 000002
【実用新案登録請求の範囲】
【請求項１】
天井躯体から垂下する吊りボルトの下端部に取り付けられて、上枠と縦枠と下枠と開放部とからなる横向きコ字状に形成される野縁受けを支持する天井野縁受けの吊り下げ用金具において、上下方向に延びて野縁受けの前記縦枠に沿って設けられる後縦板と、後縦板の上端部から後方へ突出する吊りボルト取付用の上板と、後板の下端部から前方に突出し野縁受けの前記下枠に沿って設けられる下板と、下板の先端部から上向きに突出し野縁受けの前記開放部に沿って設けられる前縦板とによって、上方部が開放されて側面視上向きＵ字状に形成される野縁受け支持用のハンガーと、該ハンガーの前縦板の前縦面に当てつけられて野縁受けの長手方向に延びる前縦板規制用縦板と、該ハンガーの後縦板の後縦面に当てつけられて野縁受けの長手方向に延びる後縦板規制用縦板と、前縦板規制用縦板及び後縦板規制用縦板の夫々の一端部を連結する連結縦板と、前縦板規制用縦板及び後縦板規制用縦板の夫々他端部間が開放された開放部とからなる平面視コ字状のハンガー規制用縦枠と、前縦板規制用縦板及び後縦板規制用縦板の夫々他端部間にわたって螺合され前記開放部を閉塞する方向に締め付ける締め付けボルトと、からなる天井野縁受けの吊り下げ用金具。
【請求項２】
前記ハンガー規制用縦枠の後縦板規制用縦板における前記開放部側端部から下方に延設して野縁受けの前記縦枠に当てつけられる延長縦片を設け、該延長縦片をドリルねじによって野縁受けの前記縦枠に止着してなる請求項１に記載の天井野縁受けの吊り下げ用金具。
【請求項３】
前記ハンガー規制用縦枠の前縦板規制用縦板における前記開放部側端部から横向きに延設して野縁受けの前記上枠に当てつけられる延長横片を設け、該延長横片によって前縦板規制用縦板における前記開放部側端部を受け止めるようにした請求項１又は２に記載の天井野縁受けの吊り下げ用金具。
【請求項４】
前記ハンガーの前縦板に、該前縦板の一部を内向きに切り抜いて切り抜き突片を設け、該切り抜き突片を野縁受けの上枠の上面に係合してなる請求項１〜３の何れかに記載の天井野縁受けの吊り下げ用金具。
【考案の詳細な説明】
【技術分野】
【０００１】
本考案は、建物の天井躯体から垂下する吊りボルトの下端部にハンガーを取り付け、このハンガーに野縁受けが支持され、この野縁受けにクリップを介して野縁が吊支され、該野縁に天井板が取り付けられるようにした天井下地において、特に野縁受けが吊支されるハンガーを主体とした野縁受けの吊り下げ用金具に関する。
【背景技術】
【０００２】
図８は一般に採用される吊り下げ用金具を示すもので、コンクリート製のスラブである天井躯体Ｓに埋設されたインサートナットＮに吊りボルト１が垂下連結され、この吊りボルト１の下端部にハンガー２０が取り付けられ、このハンガー２０に野縁受け２が支持され、この野縁受け２にクリップ２１を介して野縁２２が吊支され、そしてこの野縁２２に天井板Ｃが釘打ち等によって取り付けられるようになっている。この図８に示すハンガー２０は側面視上向きＵ字状の上方開放型の枠体からなるもので、上方部が開放したハンガー２０に野縁受け２を支持させるようになっているため、耐風圧や耐震性に比較的弱く、これらの外圧によって野縁受け２がハンガー２０の上方開放部から外れたり、ハンガー２が変形して野縁受け２を支持しきれなくなって、野縁受け２がハンガー２０から脱落するという事故の原因となっていた。
【考案の概要】
【考案が解決しようとする課題】
【０００３】
本考案は、上述の事情に鑑みて、上向きＵ字状の上方開放型の枠体からハンガーを主体とする天井野縁受けの吊下げ用金具でありながら、該ハンガーの耐風圧性や耐震性を向上させ、地震の揺れ等で天井部全体に大きな外力が作用しても、ハンガーの上方開放部から野縁受けが外れたりするのを阻止し、且つ、ハンガーの上向きコ字状の上方開放型の枠体の形態を維持し、野縁受けがハンガーから脱落するのを防止することができる吊下げ用金具を提供することを目的としている。
【課題を解決するための手段】
【０００４】
上記目的を達成するための手段を図面の参照符号を付して示せば、請求項１の考案は、天井躯体（天井スラブＳ）から垂下する吊りボルト１の下端部に取り付けられて、上枠２ａと縦枠２ｂと下枠２ｃと開放部２ｄとからなる横向きコ字状に形成される野縁受け２を支持する天井野縁受けの吊り下げ用金具において、上下方向に延びて野縁受け２の前記縦枠２ｂに沿って設けられる後縦板３ａと、後縦板３ａの上端部から後方へ突出する吊りボルト取付用の上板３ｂと、後縦板３ａの下端部から前方に突出し野縁受け２の前記下枠２ｃに沿って設けられる下板３ｃと、下板３ｃの先端部から上向きに突出し野縁受け２の前記開放部２ｄに沿って設けられる前縦板３ｄとによって、上方部３ｅが開放されて側面視上向きＵ字状に形成される野縁受け支持用のハンガー３と、該ハンガー３の前縦板３ｄの前縦面３ｄ１に当てつけられて野縁受け２の長手方向に延びる前縦板規制用縦板４ａと、該ハンガー３の後縦板３ａの後縦面３ａ１に当てつけられて野縁受け２の長手方向に延びる後縦板規制用縦板４ｂと、前縦板規制用縦板４ａ及び後縦板規制用縦板４ｂの夫々の一端部を連結する連結縦板４ｃと、前縦板規制用縦板４ａ及び後縦板規制用縦板４ｂの夫々他端部間が開放された開放部４ｄとからなる平面視コ字状のハンガー規制用縦枠４と、前縦板規制用縦板１及び後縦板規制用縦板２の夫々他端部間にわたって螺合され前記開放部４ｄを閉塞する方向に締め付ける締め付けボルト５と、からなる天井野縁受けの吊り下げ用金具に係る。
【０００５】
請求項２の考案は、前記ハンガー規制用縦枠４の後縦板規制用縦板４ｂにおける前記開放部側端部４ｂ１から下方に延設して野縁受け２の前記縦枠２ｂに当てつけられる延長縦片６を設け、該延長縦片６をドリルねじ７によって野縁受け２の前記縦枠２ｂに止着してなる請求項１に記載の天井野縁受けの吊り下げ用金具に係る。
【０００６】
請求項３の考案は、前記ハンガー規制用縦枠４の前縦板規制用縦板４ａにおける前記開放部側端部４ａ１から横向きに延設して野縁受け２の前記上枠２ａに当てつけられる延長横片８を設け、該延長横片８によって前縦板規制用縦板４ａにおける前記開放部側端部４ａ１を受け止めるようにした請求項１又は２に記載の天井野縁受けの吊り下げ用金具に係る。
【０００７】
請求項４の考案は、前記ハンガー３の前縦板３ｄに、該前縦板３ｄの一部を内向きに切り抜いて切り抜き突片９を設け、該切り抜き突片９を野縁受け２の上枠２ａの上面ａ１に係合させてなる請求項１〜３の何れかに記載の天井野縁受けの吊り下げ用金具に係る。
【考案の効果】
【０００８】
次に、本考案の効果について、図面の参照符号を付して説明する。請求項１の考案に係る天井野縁受けの吊り下げ用金具によれば、天井躯体（天井スラブＳ）から垂下する吊りボルト１の下端部に取り付けられる、上方部３ｅが開放されて側面視上向きＵ字状に形成される野縁受け支持用のハンガー３において、該ハンガー３の前縦板３ｄの前縦面３ｄ１に当てつけられる前縦板規制用縦板４ａと、該ハンガー３の後縦板３ａの後縦面３ａ１に当てつけられる後縦板規制用縦板４ｂと、前縦板規制用縦板４ａ及び後縦板規制用縦板４ｂの夫々の一端部を連結する連結縦板４ｃと、前縦板規制用縦板４ａ及び後縦板規制用縦板４ｂの夫々他端部間が開放された開放部４ｄとからなる平面視コ字状のハンガー規制用縦枠４によって、ハンガー３の、特に後縦板３ａと前縦板３ｄとを囲繞するハンガー規制用縦枠４を前縦板規制用縦板１及び後縦板規制用縦板２の夫々他端部前記開放部４ｄ間にわたって螺合される締め付けボルト５を締め付け操作することによって、ハンガー３の後縦板３ａと前縦板３ｄとがハンガー規制用縦枠４によって強力に締め付け保持規制されるため、地震の揺れ等で天井部全体に大きな外力が作用しても、ハンガーの上向きＵ字状の上方開放型の枠体の形態を維持し、野縁受け２がハンガー３の上方部開放部３ｅから脱落するのを防止することができる。又、締め付けボルト５が前縦板規制用縦板１及び後縦板規制用縦板２の夫々他端部前記開放部４ｄ間にわたって螺合されるため、該締め付けボルト５に阻止されて、地震等で大きな上下振動が加わっても、野縁受け２がハンガーの上方開放部４ｄから脱落するのを防止することができ、天井部全体の歪みや局部変形、天井部の脱落や破壊等を確実に防止でき、高い耐震性が得られる。
【０００９】
請求項２に係る天井野縁受けの吊り下げ用金具によれば、前記ハンガー規制用縦枠４の後縦板規制用縦板４ｂにおける前記開放部側端部４ｂ１から下方に延設して野縁受け２の前記縦枠２ｂに当てつけられる延長縦片６を設け、該延長縦片６をドリルねじ７によって野縁受け２の前記縦枠２ｂに止着してなるため、ハンガー規制用縦枠４は野縁受け２に一体的に保持されることになり、地震等で大きな上下振動が加わっても、ハンガー規制用縦枠４は野縁受け２を介してハンガー３から外れることはなく、ハンガー３はハンガー規制用縦枠４によって安定して規制保持されることになる。
【００１０】
請求項３に係る天井野縁受けの吊り下げ用金具によれば、前記ハンガー規制用縦枠４の前縦板規制用縦板４ａにおける前記開放部側端部４ａ１から横向きに延設して野縁受け２の前記上枠２ａに当てつけられる延長横片８を設け、該延長横片８によって前縦板規制用縦板４ａにおける前記開放部側端部４ａ１を受け止めるようにしたため、前記ハンガー規制用縦枠４をハンガー３に取り付ける際の位置決めとなり、ハンガー規制用縦枠４をハンガー３に正確に取り付けることができる。
【００１１】
請求項４に係る天井野縁受けの吊り下げ用金具によれば、前記ハンガー３の前縦板３ｄに、該前縦板３ｄの一部を内向きに切り抜いて切り抜き突片９を設け、該切り抜き突片９を野縁受け２の上枠２ａの上面ａ１に係合させてなるため、野縁受け２がハンガー３から外れるのを有効に阻止することができる。
【図面の簡単な説明】
【００１２】
【図１】本考案に係る吊下げ用金具の実施形態を示す斜視図である。
【図２】同分解斜視図である。
【図３】同正面図である。
【図４】図３のＡ−Ａ線断面図である。
【図５】図３のＢ−Ｂ線断面図である。
【図６】図３のＣ−Ｃ線断面図である。
【図７】同要部の背面図である。
【図８】従来技術に係る吊下げ用金具の斜視図である。
【考案を実施するための形態】
【００１３】
以下に、本考案に係る天井野縁受けの吊下げ用金具の実施形態について、図面を参照して具体的に説明すると、図１に示すように、コンクリート製のスラブである天井躯体Ｓに埋設されたインサートナットＮに吊りボルト１が垂下連結され、この吊りボルト１の下端部にハンガー３が一対のナットＮ１，Ｎ１（図４）によって取り付けられ、このハンガー３に野縁受け２が支持され、この野縁受け２に、従来と同じようにクリップ２１を、その係合突起２１ａをリップ付き上向きコ字状の野縁２２のリップ２２ａに係合させるようにして、野縁２２が吊支され、この野縁２２に天井板Ｃが釘打ち等によって取り付けられるようになっている。
【００１４】
野縁受け２は、上枠２ａと縦枠２ｂと下枠２ｃと開放部２ｄとからなる横向きコ字状に形成されており、この野縁受け２を吊支するハンガー３は、図１、図２又は図４に示されるように、上下方向に延びて野縁受け２の前記縦枠２ｂに沿って設けられる後縦板３ａと、後縦板３ａの上端部から後方へ突出する吊りボルト取付用の上板３ｂと、後縦板３ａの下端部から前方に突出し野縁受け２の前記下枠２ｃに沿って設けられる下板３ｃと、下板３ｃの先端部から上向きに突出し野縁受け２の前記開放部２ｄに沿って設けられる前縦板３ｄとによって、上方部３ｅが開放された側面視上向きＵ字状枠体に形成されており、なお、後縦板３ａから前縦板３ｄにかけて補強用のリブ１０が適宜形成されている。又、図２、図４に示されるように、後縦板３ａと前縦板３ｄとの上端部間の上方開放部３ｅを挟んで、後縦板３ａと前縦板３ｄとに夫々互いに内向きに対向する突出部１１，１２を設けて、両者間の間隔が狭くなるように形成し、これによって後縦板３ａと前縦板３ｄと下板３ｃとに囲繞されて取り付けられている野縁受け２がハンガー３から脱出し難いようになっており、又、同じく図２及び図４に示すように、前縦板３ｄの上端部３ｄ２は外広がりに傾斜して野縁受け２をハンガー３に嵌合する際の案内とし、更に、上端部３ｄ２の下方にあって前縦板３ｄの一部を内向きに打ち抜いて切り抜き突片９を突設して、該切り抜き突片９の先端部を野縁受け２の上枠２の上面２ａ１に圧接係合させることによって、一層野縁受け２がハンガー３から抜け出すのを防止するようになっている。
【００１５】
本考案の特徴とする構成であるが、全図にわたって明瞭に図示されているように、ハンガー３は平面視コ字状の横向きハンガー規制用縦枠４に囲繞されて、ハンガー３を強力にその形状が変形するのを防止するようになっている。即ち、ハンガー規制用縦枠４は、ハンガー３の前縦板３ｄの前縦面３ｄ１に当てつけられて野縁受け２の長手方向に延びる前縦板規制用縦板４ａと、該ハンガー３の後縦板３ａの後縦面３ａ１に当てつけられて野縁受け２の長手方向に延びる後縦板規制用縦板４ｂと、前縦板規制用縦板４ａ及び後縦板規制用縦板４ｂの夫々の一端部を連結する連結縦板４ｃと、前縦板規制用縦板４ａ及び後縦板規制用縦板４ｂの夫々他端部間が開放された開放部４ｄとからなり、これに前縦板規制用縦板１及び後縦板規制用縦板２の夫々他端部間にわたって前記開放部４ｄを閉塞する方向に締め付ける締め付けボルト５が設けられ、図２に示すように、前縦板規制用縦板４ａに設けたボルト挿通孔１３から後縦板規制用縦板４ｂに設けたネジ孔（タップピング孔）１４に該締め付けボルト５を螺合し、締め付け操作することによって、ハンガー３の後縦板３ａと前縦板３ｄとがハンガー規制用縦枠４によって強力に締め付けられる。これによって、地震の揺れ等で天井部全体に大きな外力が作用しても、ハンガーの上向きＵ字状の上方開放型の枠体、具体的にはハンガー３の前縦板３ｄが前方側に広がるように変形したり、後縦板３ａが後方側に広がるように変形するのを防止してハンガー３の形態を維持し、野縁受け２がハンガー３の上方部開放部３ｅから脱落するのを防止することができる。又、締め付けボルト５が前縦板規制用縦板１及び後縦板規制用縦板２の夫々他端部前記開放部４ｄ間にわたって螺合されるため、該締め付けボルト５に阻止されて、野縁受け２がハンガーの上方開放部３ｅから脱落するのを防止することができ、高い耐震性が得られる。
【００１６】
又、同じく略全図に明瞭に示されるように、前記ハンガー規制用縦枠４の後縦板規制用縦板４ｂにおける前記開放部側端部４ｂ１から下方に延設して野縁受け２の前記縦枠２ｂに当てつけられる延長縦片６を設け、特に図２に明示するように、該延長縦片６を野縁受け２の前記縦枠２ｂに当てつけ、ドリルねじ７をドリルマシンによって両者間にわたって一点鎖線に示すように強制的にねじ込み止着することによって、ハンガー規制用縦枠４は野縁受け２に一体的に保持されるため、地震等で大きな上下振動が加わっても、ハンガー規制用縦枠４は野縁受け２を介してハンガー３から外れることはなく、ハンガー３はハンガー規制用縦枠４によって安定して規制保持されることになる。
【００１７】
更に又、前記ハンガー規制用縦枠４の前縦板規制用縦板４ａにおける前記開放部側端部４ａ１から横向きＬ状に延設して野縁受け２の前記上枠２ａの上面２ａ１に当てつけられる延長横片８を設け、該延長横片８によって前縦板規制用縦板４ａにおける前記開放部側端部４ａ１を受け止めるようにしたため、前記ハンガー規制用縦枠４をハンガー３に取り付ける際の位置決めとなり、ハンガー規制用縦枠４をハンガー３に正確に取り付けることができる。
【００１８】
更に又、前記ハンガー３の前縦板３ｄに、該前縦板３ｄの一部を内向きに切り抜いて切り抜き突片９を設け、該切り抜き突片９を野縁受け２の上枠２ａの上面ａ１に係合させてなるため、野縁受け２がハンガー３から外れるのを一層有効に阻止することができる。
【００１９】
なお、前述のように、後縦板３ａと前縦板３ｄとの上端部間の上方開放部３ｅを挟んで、後縦板３ａと前縦板３ｄとに夫々互いに内向きに対向する突出部１１，１２を設けて、両者間の間隔が狭くなるように形成し、これによって後縦板３ａと前縦板３ｄと下板３ｃとに囲繞されて取り付けられている野縁受け２がハンガー３から脱出し難いようになっており、又、図２及び図４に示すように、前縦板３ｄの上端部３ｄ２は外広がりに傾斜して野縁受け２をハンガー３に嵌合する際の案内としている。
【００２０】
本考案の天井野縁受けの吊下げ用金具は、上記の実施形態で例示したものに限らず、各部の形状、既述の離脱防止手段や拡がり防止手段の形状及び構造等、細部構成については実施形態以外に種々設計変更可能である。
【符号の説明】
【００２１】
１          吊りボルト
２          野縁受け
２ａ        上枠
２ａ１      上枠の上面
２ｂ        縦枠
２ｃ        下枠
２ｄ        開放部
３          ハンガー
３ａ        後縦板
３ａ１      後縦板の後縦面
３ｂ        上板
３ｃ        下板
３ｄ        前縦板
３ｄ１      前縦板の前縦面
３ｅ        上方開放部
４          ハンガー規制用縦枠
４ａ        前縦板規制用縦板
４ａ１      前縦板規制用縦板の開放部側端部
４ｂ        後縦板規制用縦板
４ｂ１      後縦板規制用縦板の開放部側端部
４ｃ        連結縦板
４ｄ        開放部
５          締め付けボルト
６          延長縦片
７          ドリルねじ
８          延長横片
９          切り抜き突片
【図１】
0003198050.tif 000003
【図２】
0003198050.tif 000004
【図３】
0003198050.tif 000005
【図４】
0003198050.tif 000006
【図５】
0003198050.tif 000007
【図６】
0003198050.tif 000008
【図７】
0003198050.tif 000009
【図８】
0003198050.tif 000010